(57)【要約】【課題】駆動電圧の低電圧化を可能とするプラズマディスプレイパネルを実現する。【解決手段】走査電極４と維持電極５とで構成した表示電極６を、放電セル１６の境界を挟んで走査電極４どうしおよび維持電極５どうしが隣接するように備えるとともに、隣接する走査電極４の間に第一のＩＰＧ電極１７ａを、また、隣接する維持電極５の間に第二のＩＰＧ電極１７ｂを備えるプラズマディスプレイパネル１であって、アドレス期間においては、第一および第二のＩＰＧ電極１７ａ、１７ｂは維持電極５と同電位となるように構成し、アドレス期間以外には、第一のＩＰＧ電極１７ａは維持電極５と、第二のＩＰＧ電極１７ｂは走査電極４と同電位となるように構成する。これにより、アドレス放電時の電界、および維持放電の開始時の電界に、ＩＰＧ電極１７の電界を作用させることができ、駆動電圧の低電圧化が可能となる。【選択図】  図１
2004273131.tif 000002
【特許請求の範囲】
【請求項１】
走査電極と維持電極とで構成した表示電極を、放電セルの境界を挟んで走査電極どうしおよび維持電極どうしが隣接するように備えるとともに、隣接する走査電極の間に第一のＩＰＧ電極を、また、隣接する維持電極の間に第二のＩＰＧ電極を備えるプラズマディスプレイパネルであって、アドレス期間には、第一および第二のＩＰＧ電極は維持電極と同電位となり、アドレス期間以外には、第一のＩＰＧ電極は維持電極と、第二のＩＰＧ電極は走査電極と同電位となるように構成したプラズマディスプレイパネル。
【請求項２】
第一のＩＰＧ電極と走査電極との間隔、および第二のＩＰＧ電極と維持電極との間隔が、表示電極の走査電極と維持電極との間隔より広い請求項１に記載のプラズマディスプレイパネル。
【請求項３】
維持電極と、維持電極を挟んで隣接して設けた第一走査電極および第二走査電極とにより構成した表示電極を備えるとともに、隣接する表示電極間にＩＰＧ電極を備えるプラズマディスプレイパネルであって、ＩＰＧ電極は維持電極と同電位となるように構成したプラズマディスプレイパネル。
【請求項４】
第一走査電極および第二走査電極とＩＰＧ電極との間隔が、第一走査電極および第二走査電極と維持電極との間隔より広い請求項３に記載のプラズマディスプレイパネル。
【請求項５】
ＩＰＧ電極の体積抵抗率が、１０−２Ω・ｍ以下、且つ１０−６Ω・ｍ以上である請求項１から４のいずれかに記載のプラズマディスプレイパネル。
【請求項６】
ＩＰＧ電極の構造が、導電層、あるいは導電層と低反射材料層との二層のいずれかである請求項５に記載のプラズマディスプレイパネル。
【発明の詳細な説明】
【０００１】
【発明の属する技術分野】
本発明は、大画面で、薄型、軽量の表示装置として知られているプラズマディスプレイパネル（以下、ＰＤＰと記す）に関するものである。
【０００２】
【従来の技術】
以下に、ＰＤＰの構造について説明する。図６は従来のＰＤＰの駆動方法により駆動されるＰＤＰの概略構成を示す断面斜視図である。
【０００３】
ＰＤＰ１の前面基板２は、前面ガラス基板３の一主面上に形成したＮ本の走査電極４とＮ本の維持電極５とからなる表示電極６と、その表示電極６を覆う誘電体層７と、さらにその誘電体層７を覆う、例えばＭｇＯによる保護層８とを有する構造である。走査電極４と維持電極５は、電気抵抗の低減を目的として、透明電極４ａ、５ａに金属材料からなるバス電極４ｂ、５ｂを積層した構造としている。
【０００４】
背面基板９は、背面ガラス基板１０の一主面上に形成したデータ電極１１と、そのデータ電極１１を覆う誘電体層１２と、誘電体層１２上のデータ電極１１の間に相当する場所に位置する隔壁１３と、隔壁１３間の蛍光体層１４Ｒ、１４Ｇ、１４Ｂとを有する構造である。
【０００５】
そして、前面基板２と背面基板９とは、隔壁１３を挟んで、表示電極６とデータ電極１１とが直交するように対向し、画像表示領域の外の周囲を封着部材により封止した構成であり、前面基板２と背面基板９との間に形成された放電空間１５には、例えばＮｅ−Ｘｅ５％の放電ガスが６６．５ｋＰａ（５００Ｔｏｒｒ）の圧力で封入されている。
【０００６】
そして、放電空間１５の表示電極６とデータ電極１１との交差部が放電セル１６（単位発光領域）として動作する（例えば、非特許文献１参照）。
【０００７】
【非特許文献１】
内池平樹、御子柴茂生共著、「プラズマディスプレイのすべて」、（株）工業調査会、１９９７年５月１日、ｐ７９−ｐ８０
【０００８】
【発明が解決しようとする課題】
現在のＰＤＰの駆動電圧はコストに直結する駆動回路の耐電圧や消費電力の観点から、十分低いとは言えず、より一層の駆動電圧の低電圧化が必要である。
【０００９】
本発明は上記課題に鑑みてなされたものであり、駆動電圧の低電圧化を可能とするＰＤＰを実現することを目的とする。
【００１０】
【課題を解決するための手段】
上記目的を実現するために本発明のプラズマディスプレイパネルは、走査電極と維持電極とで構成した表示電極を、放電セルの境界を挟んで走査電極どうしおよび維持電極どうしが隣接するように備えるとともに、隣接する走査電極の間に第一のＩＰＧ電極を、また、隣接する維持電極の間に第二のＩＰＧ電極を備えるプラズマディスプレイパネルであって、アドレス期間には、第一および第二のＩＰＧ電極は維持電極と同電位となり、アドレス期間以外には、第一のＩＰＧ電極は維持電極と、第二のＩＰＧ電極は走査電極と同電位となるように構成したものである。
【００１１】
また、上記目的を実現するために本発明のプラズマディスプレイパネルは、維持電極と、維持電極を挟んで隣接して設けた第一走査電極および第二走査電極とにより構成した表示電極を備えるとともに、隣接する表示電極間にＩＰＧ電極を備えるプラズマディスプレイパネルであって、ＩＰＧ電極は維持電極と同電位となるように構成したものである。
【００１２】
【発明の実施の形態】
すなわち、本発明の請求項１に記載の発明は、走査電極と維持電極とで構成した表示電極を、放電セルの境界を挟んで走査電極どうしおよび維持電極どうしが隣接するように備えるとともに、隣接する走査電極の間に第一のＩＰＧ電極を、また、隣接する維持電極の間に第二のＩＰＧ電極を備えるプラズマディスプレイパネルであって、アドレス期間には、第一および第二のＩＰＧ電極は維持電極と同電位となり、アドレス期間以外には、第一のＩＰＧ電極は維持電極と、第二のＩＰＧ電極は走査電極と同電位となるように構成したプラズマディスプレイパネルである。
【００１３】
また、請求項２に記載の発明は、請求項１に記載の発明において、第一のＩＰＧ電極と走査電極との間隔、および第二のＩＰＧ電極と維持電極との間隔が、表示電極の走査電極と維持電極との間隔より広いというものである。
【００１４】
また、請求項３に記載の発明は、維持電極と、維持電極を挟んで隣接して設けた第一走査電極および第二走査電極とにより構成した表示電極を備えるとともに、隣接する表示電極間にＩＰＧ電極を備えるプラズマディスプレイパネルであって、ＩＰＧ電極は維持電極と同電位となるように構成したプラズマディスプレイパネルである。
【００１５】
また、請求項４に記載の発明は、請求項３に記載の発明において、第一走査電極および第二走査電極とＩＰＧ電極との間隔が、第一走査電極および第二走査電極と維持電極との間隔より広いというものである。
【００１６】
また、請求項５に記載の発明は、請求項１から４のいずれかに記載の発明において、ＩＰＧ電極の体積抵抗率が、１０−２Ω・ｍ以下、且つ１０−６Ω・ｍ以上であるというものである。
【００１７】
また、請求項６に記載の発明は、請求項５に記載の発明において、ＩＰＧ電極が、導電層、および導電層と低反射材料層との二層の中から選ばれる一つの構造であるというものである。
【００１８】
以下、本発明の一実施の形態について図１〜図５の図面を参照して説明する。なお、図１〜図５においては、図６に示した部分と同一部分については同一番号を付している。
【００１９】
（実施の形態１）
図１は、本発明の実施の形態１によるＰＤＰの概略構造を示す断面斜視図である。
【００２０】
ＰＤＰ１の前面基板２は、前面ガラス基板３の一主面上に形成した走査電極４と維持電極５とからなる表示電極６と、隣接する表示電極６間に設けたＩＰＧ電極１７と、表示電極６とＩＰＧ電極１７とを覆う誘電体層７と、さらにその誘電体層７を覆う、例えばＭｇＯによる保護層８とを有する構造である。ここで、走査電極４と維持電極５とは、走査電極４どうしおよび維持電極５どうしが隣接するように設けられている。また、走査電極４と維持電極５とは、電気抵抗の低減を目的として、透明電極４ａ、５ａに金属材料からなるバス電極４ｂ、５ｂを積層した構造としている。また、走査電極４と維持電極５とが、走査電極４どうしおよび維持電極５どうしが隣接するように設けられていることから、ＩＰＧ電極１７には、維持電極５どうしが隣接する間に設けられるものと、走査電極４どうしが隣接する間に設けられるものとになる。そこで、ＩＰＧ電極１７の内、走査電極４間に設けたものを第一のＩＰＧ電極１７ａ、維持電極５間に設けたものを第二のＩＰＧ電極１７ｂとする。ＩＰＧ電極１７には電流が流れにくいことが好ましく、したがって高抵抗材料、具体的には体積抵抗率が１０−２Ω・ｍ以下、且つ１０−６Ω・ｍ以上の材料で形成されている。なお図１は、維持電極５どうしが隣接する間にＩＰＧ電極１７、すなわち第二のＩＰＧ電極１７ｂを設けた部分を示したものである。
【００２１】
背面基板９は、背面ガラス基板１０の一主面上に形成したデータ電極１１と、そのデータ電極１１を覆う誘電体層１２と、誘電体層１２上のデータ電極１１の間に相当する場所に位置する隔壁１３と、隔壁１３間の蛍光体層１４Ｒ、１４Ｇ、１４Ｂとを有する構造である。
【００２２】
そして、前面基板２と背面基板９とは、隔壁１３を挟んで、表示電極６とデータ電極１１とが直交するように対向し、画像表示領域の外の周囲を封着部材により封止した構成であり、前面基板２と背面基板９との間に形成された放電空間１５には、例えばＮｅ−Ｘｅ５％の放電ガスが６６．５ｋＰａ（５００Ｔｏｒｒ）の圧力で封入されている。
【００２３】
そして、放電空間１５の表示電極６とデータ電極１１との交差部が放電セル１６（単位発光領域）として動作する。
【００２４】
ここで、本実施の形態においては、アドレス期間においては、全ＩＰＧ電極１７と維持電極５とが同電位となるように制御され、また、アドレス期間以外は、隣接する維持電極５の間に設けた第二のＩＰＧ電極１７ｂは走査電極４と同電位となり、また隣接する走査電極４の間に設けた第一のＩＰＧ電極１７ａは維持電極５と同電位となるように制御される。
【００２５】
上述したような電位状態での詳細を、以下に説明する。
【００２６】
図２は、本実施の形態によるＰＤＰの電極の電位状態を示す概略断面図である。また、図３は、比較のための、従来のＰＤＰの電極の電位状態を示す概略断面図である。
【００２７】
まず、アドレス期間での状態について説明する。アドレス放電は、走査電極４とデータ電極１１との間で開始する。ここで、簡単のため、壁電荷の効果を除いて各電極間の電位差のみによる電界分布を考える。図３（ａ）に示すように、従来のＰＤＰでは、アドレス放電の開始電圧に寄与する電界成分は、走査電極４とデータ電極１１との間での電位差による電界と、走査電極４と維持電極５との間の電位差による電界である。これに対し、本実施の形態のＰＤＰにおいては、アドレス放電の開始電圧に寄与する電界成分として、図２（ａ）に示すように、上述の２つの電位差による電界に加え、第一のＩＰＧ電極１７ａと走査電極４との間での電位差による電界も寄与することとなる。
【００２８】
その結果、各電極は、第一のＩＰＧ電極１７ａがない、従来に比べ、低い電圧の印加でアドレス放電を発生させることが可能となる。また、アドレス放電の際には、その材料の体積抵抗率から、ＩＰＧ電極１７には電流が流れにくくなっており、したがって、アドレス放電がＩＰＧ電極１７の方に伸展することが抑制されることとなる。なお、図中に示した電圧値は一例を示すものであり、実際の駆動に際しては、この電圧値に限るものではない。
【００２９】
以上より、本実施の形態によるＰＤＰでは、従来のＰＤＰに比べてアドレス放電時の駆動電圧の低減が可能となる。
【００３０】
次に、アドレス期間外の、例えば維持期間における維持放電の開始時について説明する。維持放電の開始時においては、放電は、まず、走査電極４とデータ電極１１との間で発生し、続いてその放電が維持電極５上に成長して、走査電極４と維持電極５との間の放電となる。この維持放電の開始時にも、アドレス放電の場合と同様、従来のＰＤＰでは図３（ｂ）に示すように、維持放電開始時の際の電界形成に寄与するのが、走査電極４とデータ電極１１との間での電位差による電界と、走査電極４と維持電極５との間の電位差であるが、本実施の形態によるＰＤＰの場合、図２（ｂ）に示すように、上述の２つの電位差による電界に加え、第一のＩＰＧ電極１７ａと走査電極４との間での電位差による電界も寄与することとなる。その結果、各電極は、第一のＩＰＧ電極１７ａがない、従来に比べ、低い電圧の印加で維持放電を開始させることが可能となる。ここで、維持放電の際には、その材料の体積抵抗率から、ＩＰＧ電極１７には電流が流れにくくなっており、したがって、維持放電がＩＰＧ電極１７の方に伸展することが抑制されることとなる。なお、図中に示した電圧値は一例を示すものであり、実際の駆動に際しては、この電圧値に限るものではない。
【００３１】
以上より、本実施の形態によるＰＤＰでは、従来のＰＤＰに比べて維持放電の開始時の駆動電圧の低減が可能となる。
【００３２】
（実施の形態２）
図４は、本発明の実施の形態２によるＰＤＰの概略構造を示す断面斜視図である。
【００３３】
ＰＤＰ１の前面基板２は、前面ガラス基板３の一主面上に形成した維持電極５と、維持電極５を挟んで隣接して設けた第一走査電極４１と第二走査電極４２とにより構成した表示電極６と、隣接する表示電極６間に設けたＩＰＧ電極１７と、表示電極６とＩＰＧ電極１７とを覆う誘電体層７と、さらにその誘電体層７を覆う、例えばＭｇＯによる保護層８とを有する構造である。第一走査電極４１と第二走査電極４２と維持電極５とは、電気抵抗の低減を目的として、透明電極４１ａ、４２ａ、５ａに金属材料からなるバス電極４１ｂ、４２ｂ、５ｂを積層した構造としている。また、ＩＰＧ電極１７には電流が流れにくいことが好ましく、したがって高抵抗材料、具体的には体積抵抗率が、１０−２Ω・ｍ以下、且つ１０−６Ω・ｍ以上である材料で形成されている。
【００３４】
背面基板９は、背面ガラス基板１０の一主面上に形成したデータ電極１１と、そのデータ電極１１を覆う誘電体層１２と、誘電体層１２上のデータ電極１１の間に相当する場所に位置する隔壁１３と、隔壁１３間の蛍光体層１４Ｒ、１４Ｇ、１４Ｂとを有する構造である。
【００３５】
そして、前面基板２と背面基板９とは、隔壁１３を挟んで、表示電極６とデータ電極１１とが直交するように対向し、画像表示領域の外の周囲を封着部材により封止した構成であり、前面基板２と背面基板９との間に形成された放電空間１５には、例えばＮｅ−Ｘｅ５％の放電ガスが６６．５ｋＰａ（５００Ｔｏｒｒ）の圧力で封入されている。
【００３６】
そして、放電空間１５の表示電極６とデータ電極１１との交差部が放電セル１６（単位発光領域）として動作する。
【００３７】
そして本実施の形態によるＰＤＰ１においては、常に、ＩＰＧ電極１７は維持電極５と同電位となるように制御される。
【００３８】
ここで、図５（ａ）、（ｂ）に本実施の形態によるＰＤＰの電極の電位状態を概略断面図で示す。図５（ａ）に示す、アドレス期間におけるアドレス放電の場合、第一走査電極４１および第二走査電極４２とデータ電極１１との間で放電が開始するが、その際、アドレス放電の開始電圧に寄与する電界成分として、一つは、第一走査電極４１とデータ電極１１との間での電位差による電界と、第一走査電極４１と維持電極５との間での電位差による電界とに、第一走査電極４１に隣接するＩＰＧ電極１７と第一走査電極４１との間での電位差による電界が加わったものであり、もう一つは、第二走査電極４２とデータ電極１１との間での電位差による電界と、第二走査電極４２と維持電極５との間での電位差による電界とに、第二走査電極４２に隣接するＩＰＧ電極１７と第二走査電極４２との間での電位差による電界が加わったものである。すなわち、ＩＰＧ電極１７の存在により発生する電界が加わることで、各電極は、ＩＰＧ電極１７がない場合に比べ、低い電圧の印加でアドレス放電を発生させることが可能となる。
【００３９】
ここで、アドレス放電の際には、ＩＰＧ電極１７には、その材料の体積抵抗率から、電流が流れにくくなっており、したがって、アドレス放電がＩＰＧ電極１７の方に伸展することが抑制されることとなる。なお、図中に示した電圧値は一例を示すものであり、実際の駆動に際しては、この電圧値に限るものではない。
【００４０】
以上により、本実施の形態によるＰＤＰでは、ＩＰＧ電極１７がない場合に比べ、アドレス放電時の駆動電圧の低減が可能となる。
【００４１】
次に、アドレス期間外の、例えば維持期間における維持放電の開始時について説明する。維持放電の開始時においては、放電は、まず、第一走査電極４１とデータ電極１１との間、および第二走査電極４２とデータ電極１１との間で発生し、続いてその放電が維持電極５上に成長して、第一走査電極４１と維持電極５との間、および第二走査電極４２と維持電極５との間の放電となるものである。この維持放電の開始時にも、アドレス放電の場合と同様、本実施の形態によるＰＤＰの場合、図５（ｂ）に示すように、維持放電開始時の電界形成に寄与するのが、一つは、第一走査電極４１とデータ電極１１との間での電位差による電界と、第一走査電極４１と維持電極５との間での電位差による電界とに、第一走査電極４１に隣接するＩＰＧ電極１７と第一走査電極４１との間での電位差による電界が加わったものであり、もう一つは、第二走査電極４２とデータ電極１１との間での電位差による電界と、第二走査電極４２と維持電極５との間での電位差による電界とに、第二走査電極４２に隣接するＩＰＧ電極１７と第二走査電極４２との間での電位差による電界が加わったものとなる。すなわち、ＩＰＧ電極１７の存在により発生する電界が加わることで、各電極は、ＩＰＧ電極１７がない場合に比べ、低い電圧の印加で維持放電を開始させることが可能となる。ここで、維持放電の際には、ＩＰＧ電極１７には、その材料の体積抵抗率から、電流が流れにくくなっており、したがって、維持放電がＩＰＧ電極１７の方に広がることが抑制されている。なお、図中に示した電圧値は一例を示すものであり、実際の駆動に際しては、この電圧値に限るものではない。
【００４２】
以上より、本実施の形態によるＰＤＰでは、ＩＰＧ電極１７がない場合に比べ、維持放電の開始時の駆動電圧の低減が可能となる。
【００４３】
なお、以上述べた実施の形態１、２においては、放電開始直後の荷電粒子をＩＰＧ電極１７側に伸展させないように、図２に示す構成においては、隣接する走査電極４の間に設けた第一のＩＰＧ電極１７ａと走査電極４との間隔、および、隣接する維持電極５の間に設けた第二のＩＰＧ電極１７ｂと維持電極５との間隔を、走査電極４と維持電極５との間隔より広くすることが好ましい。また、同様に、図５に示す構成においては、表示電極６と、表示電極６に隣接するＩＰＧ電極１７との間隔を、第一走査電極４１および第二走査電極４２と維持電極５との間隔より広くすることが好ましい。
【００４４】
また、ＩＰＧ電極１７を、導電性とともに、低反射性を有する材料で形成すると、コントラストの向上を図ることができ、好ましい。この場合、ＩＰＧ電極１７は、導電層と低反射材料層との二層の構造、または導電性低反射材料による層として形成すればよい。以上における低反射材料の一例としては酸化ルテニウムを挙げることができる。
【００４５】
【発明の効果】
以上述べたように本発明によれば、駆動電圧の低電圧化を可能とするＰＤＰを実現することができる。
【図面の簡単な説明】
【図１】本発明の一実施の形態によるプラズマディスプレイパネルの概略構成の一例を示す断面斜視図
【図２】図１に示すプラズマディスプレイパネルにおける電極の概略の電位状態を示す断面図
【図３】従来のプラズマディスプレイパネルにおける電極の概略の電位状態を示す断面図
【図４】本発明の他の実施の形態によるプラズマディスプレイパネルの概略構成の一例を示す断面斜視図
【図５】図４に示すプラズマディスプレイパネルにおける電極の概略の電位状態を示す断面図
【図６】従来のプラズマディスプレイパネルの概略構成の一例を示す断面斜視図
【符号の説明】
１  プラズマディスプレイパネル（ＰＤＰ）
２  前面基板
３  前面ガラス基板
４  走査電極
５  維持電極
６  表示電極
７  誘電体層
８  保護層
９  背面基板
１０  背面ガラス基板
１１  データ電極
１２  誘電体層
１３  隔壁
１４Ｒ、１４Ｇ、１４Ｂ  蛍光体層
１５  放電空間
１６  放電セル
１７  ＩＰＧ電極
１７ａ  第一のＩＰＧ電極
１７ｂ  第二のＩＰＧ電極
【図１】
2004273131.tif 000003
【図２】
2004273131.tif 000004
【図３】
2004273131.tif 000005
【図４】
2004273131.tif 000006
【図５】
2004273131.tif 000007
【図６】
2004273131.tif 000008